(57)【要約】      （修正有）【課題】平板ディスプレイ製造工程で、大型のガラスを移送するローラシャフトのたるみ防止装置を提供する。【解決手段】ガラス移送用ローラコンベヤにおいて、ローラーシャフト１００のベアリングホルダー１５０の一方に、ローラーシャフトにかかる荷重とローラーシャフトの自重を支えながら前記ローラーシャフトが回転できるように、２つのマグネチック１６０とスプリングを設け、マグネチックの反発力を利用してローラシャフトを引っ張り上げローラシャフトのたるみを防止する。 【選択図】図１
2008087959.tif 000002
【特許請求の範囲】
【請求項１】
平板ディスプレイの製造工程で、ガラス下部に前記ガラスが移送できるようになっているローラーシャフトと前記ローラーシャフトに一定の間隔に挿入された多数のローラーと前記ローラーシャフトと多数のローラーを支える水平プレートと垂直プレートに構成された平板ディスプレイ用ガラス移送装置において、 
前記ロ―ラーシャフトの一方と他方に前記垂直プレートと結合されるように形成し、前記ローラーシャフトが貫通できるシャフト貫通口を形成するベアリング・ホルダー・ブラケット部；
前記ベアリング・ホルダー・ブラケット部の一方に、前記ガラスによりローラーシャフトにかかる荷重とローラーシャフトの自重を支えながら、前記ローラーシャフトが回転できるように、深いホール・ボール・ベアリングを含むベアリングホルダー部；
前記ベアリング・ホルダー部の一方に２つのマグネチックを同じ極性に向かわせて形成し、前記ガラスによってローラーシャフトに発生する荷重と、前記ローラーシャフトの自重により、前記ローラーシャフトがたるむのを前記マグネチックの反発力を利用して防止するディスク型マグネチック；
前記ディスク型マグネチックの一方に形成し、前記ディスク型マグネチックの反発力を維持するよう、前記ローラーシャフトに固定する固定ナット；に構成されるのを特徴とする平板ディスプレイ用ガラス移送ローラーのたるみ防止装置。
【請求項２】
請求項１において、 
前記ディスク型マグネチックは、ボールが転がる溝があるワッシャー形状の軌道輪とボールを内臓したリテーナで構成されているスラスト・ボール・ベアリングに使えることがその特徴である平板ディスプレイ用ガラス移送ローラーのたるみ防止装置。 
【請求項３】
請求項１乃至２において、
前記ディスク型マグネチックとスラスト・ボール・ベアリングは大型ガラスによるローラーシャフトのたるみが大きい場合、一方に弾性力を維持した状態のスプリングを形成し、前記ローラーシャフトのたるみを防止することができるのをその特徴する平板ディスプレイ用ガラス移送ローラーのたるみ防止装置。
【発明の詳細な説明】
【技術分野】
【０００１】
本発明は、平板ディスプレイ用ガラスを移送する移送装置に関するもので、より詳しくは、前記ガラスを移送するローラーシャフトの両側にディスグ型マグネチックを形成し、前記ガラスが下部ローラーシャフトにかかる荷重と前記ローラーシャフトの自重によってローラーシャフトがたるむ場合、前記２つのマグネチックを同じ極性に向かわせて形成し、前記２つのマグネチックが互いに押し出す反発力を利用し、前記たるんだローラーシャフトを引っ張りあげるようにして、前記ローラーシャフトのたるみを防止し、前記ローラーのシャフトのたるみ防止をすることで、ガラスの不良を防げて、前記ローラーシャフトの直径を最小化でき、製造費用を節減できる平板ディスプレイ用ガラス移送ローラーのたるみ防止装置に関するものである。
【背景技術】
【０００２】
一般的に最近壁掛け式テレビやマルチメディア用ディスプレイとして利用できる平板ディスプレイ（flat panel display, FPD）の実用化が進められている。前記のような平板ディスプレイ用ブラスは、段々大型化していくにつれ、前記ガラスの自重が増加し、これによって、前記ガラスを移送する移送ローラーのローラーシャフトの長さが長くなっている。
【０００３】
前記平板ディスプレイ用ガラスの製造工程で、前記ガラスを移送するために移送ローラーが使用され、従来の移送ローラーが具備された平板ディスプレイ用ガラス移送装置は、ローラーの上部にガラスを載せ、前記のローラーの駆動させて移送するものであった。しかし、平板ディスプレイが大型化するにつれ、ガラスの大きさが大きくなって、その自重が増加し、前記自重を支えられない場合、前記ローラーを支えているローラーシャフトがたるみ、移送過程でガラスが破損されたり、不良率が高くなる問題があった。 
【０００４】
尚、従来の問題点を解決するため、前記大型化したガラスの自重を耐えられるようにするため、前記ローラーシャフトの直径を大きくしたり、ローラーシャフトの内部に充填物質を挿入し、前記ローラーシャフトの強度を高めることで、前記ガラスの荷重によるローラーシャフトのたるみを防止した。しかし、前記のように、ローラーシャフトの直径を大きくしたり、内部に充填物質を挿入したローラーシャフトは、これによる製造費用が増加し、効率的ではないという短所があった。
【発明の開示】
【発明が解決しようとする課題】
【０００５】
本発明は、前記のような問題点を解決するために案出されたものであり、平板ディスプレイ製造工程の中で平板ディスプレイ用ガラスを移送する移送ローラーのローラーシャフトの両側にディスク型マグネチックを形成し、前記ガラスによる下部ローラーシャフトにかかる荷重や前記ローラーシャフトの自重により、ローラーシャフトがたるむ場合、前記ディスク型マグネチックのマグネチックを同じ極性に向かわせて形成し、前記マグネチックの反発力を利用し前記ローラーシャフトがたるむのを引っ張り上げ、前記ローラーシャフトがたるむのを防止し、これによって、前記ローラーシャフトの直径を増加させたり、前記ローラーシャフトの内部に強度を高めるために充填物を挿入する必要がなく、前記ローラーシャフトの直径を縮小できることで製造費用を節減できる平板ディスプレイ用ガラス移送ローラーのたるみ防止装置を提供することがその目的である。
【０００６】
尚、ディスク型マグネチックを使用することによって、無負荷回転トルクによるパーティクルの発生を防げる平板ディスプレイ用ガラス移送ローラーのたるみ防止装置を提供するの目的もある。 
また、前記ディスク型マグネチックの代わりにスラスト・ボール・ベアリングを使用し、前記スラスト・ボール・ベアリングのローラーシャフトに発生する荷重を受け、前記ローラーシャフトがたるむのを防げる平板ディスプレイ用ガラス移送ローラーのたるみ防止装置を提供するの目的もある。 
【課題を解決するための手段】
【０００７】
本発明は、平板ディスプレイの製造工程で、ガラス下部に前記ガラスが移送できるようになっているローラーシャフトと前記ローラーシャフトに一定の間隔に挿入された多数のローラーと前記ローラーシャフトと多数のローラーを支える水平プレートと垂直プレートに構成された平板ディスプレイ用ガラス移送装置において、 
【０００８】
前記ロ―ラーシャフトの一方と他方に前記垂直プレートと結合されるように形成し、前記ローラーシャフトが貫通できるシャフト貫通口を形成するベアリング・ホルダー・ブラケット部；
【０００９】
前記ベアリング・ホルダー・ブラケット部の一方に、前記ガラスによりローラーシャフトにかかる荷重とローラーシャフトの自重を支えながら、前記ローラーシャフトが回転できるように、深いホール・ボール・ベアリングを含むベアリングホルダー部；
【００１０】
前記ベアリングホルダー部の一方に２つのマグネチックを互いに同じ極性に向かわせて形成し、前記ガラスによりローラーシャフトに発生する荷重と前記ローラーシャフトの自重によって前記ローラーシャフトがたるむのを前記マグネチックに反発力を利用して防止するディスク型マグネチック；
【００１１】
前記ディスク型マグネチックの一方に形成し、前記ディスク型マグネチックの反発力を維持させ、前記ローラーシャフトに固定する固定ナット；で構成されるのがその特徴である。 
【００１２】
尚、前記ディスク型マグネチックは、ボールが転がる溝があるワッシャー形状の軌凸輪とボールを内臓したリテーナで構成されているスラスト・ボール・ベアリングに使えることが特徴である。 
【００１３】
前記ディスク型マグネチックとスラスト・ボール・ベアリングは大型ガラスによるローラーシャフトのたるみが大きい場合、一方に弾性力を維持した状態のスプリングを形成し、前記ローラーシャフトのたるみを防止することができるのが特徴である。 
【００１４】
以下、本発明を具体的に説明するために添付された図面を参考にしながら詳しく説明する。
【００１５】
図１は、本発明による平板ディスプレイ用ガラス移送ローラーのたるみ防止装置の全体図面であり、図２は、本発明による平板ディスプレイ用ガラス移送ローラーのたるみ防止装置のベアリング・ホルダー・ブラケット部の正面図と側面図であり、図３は、本発明による平板ディスプレイ用ガラス移送ローラーのたるみ防止装置のベアリング・ホルダー部の正面図と側面図である。 
【００１６】
前記図１・図２・図３に図示されている通り、平板ディスプレイ製造工程でガラス下部に前記ガラスが移送させるローラーシャフト（１００）と、前記ローラーシャフト（１００）に一定の間隔で挿入された多数のローラー（１１０）と、前記ローラーシャフト（１００）や多数のローラー（１１０）を支えるようにする水平プレート(１２0)と垂直プレート（１３０）に構成された平板ディスプレイ用ガラス移送装置で、前記ローラーシャフト（１００）の一方と他方にベアリング・ホルダー・ブラケット部（１４０）と、ベアリング・ホルダー部（１５０）と、ディスク型マグネチック（１６０）と、固定ナット（１７０）を形成し、大型化したガラスの荷重と前記ローラーシャフト（１００）の自重により、前記ローラーシャフト（１００）がたるむ場合、前記ディスク型マグネチック（１６０）に形成された互いに同じ極性に向かわせた２つのマグネチックを通じて発生する反発力を利用し、前記ローラーシャフト（１００）がたるむのを引っ張り上げ、前記ローラーシャフト（１００）のたるみを防止し、製造費用が節減でき、前記ローラーシャフト（１００）の直径を最小化することができる。 
【００１７】
前記ロ―ラーシャフト（１００）は、両側にベアリング・ホルダーブラケット（１４０）と、ベアリング・ホルダー（１５０）と、ディスク型マグネチック（１６０）と、固定ナット（１７０）を形成して作られる。
【００１８】
前記ベアリング・ホルダー・ブラケット部（１４０）は、ローラーシャフト（１００）の両側に前記垂直プレート（１３０）と結合されるように形成し、シャフト貫通口により、前記ローラーシャフト（１００）が貫通できるようにして、前記ベアリング・ホルダー・ブラケット部（１４０）の一方にベアリング・ホルダー（１５０）を形成する。前記ベアリング・ホルダー・ブラケット部（１４０）の一方に形成したベアリング・ホルダー部（１５０）は、内部に深いホール・ボール・ベアリング（１５１）を形成して、前記ローラーシャフト（１００）の自重とガラスによるローラーシャフト（１００）にかかる荷重を支えながら前記ローラーシャフト（１００）が回転するようにする。前記深いホール・ボール・ベアリング（１５１）により、前記ベアリング・ホルダー部（１５０）とベアリング・ホルダー・ブラケット部（１４０）は、前記垂直プレート（１３０）に固定され、前記ベアリング・ホルダー部（１５０）と、ベアリング・ホルダー・ブラケット部（１４０）に貫通されたローラーシャフト（１００）が回転する。
【００１９】
前記ベアリング・ホルダー・ブラケット部（１４０）の一方に形成したディスク型マグネチック（１６０）は、２つのマグネチックを同じ極性に向かわせて形成し、 前記ガラスにより、ローラーシャフト（１００）にかかる荷重と前記ローラーシャフト（１００）の自重により、前記ローラーシャフト（１００）がたるむ場合、前記２つのマグネチックによって発生する反発力により、前記のたるんだローラーシャフト（１００）を引っ張り上げ、前記ローラーシャフト（１００）のたるみを防止する。前記ディスク型マグネチック（１６０）により、たるみを防止するローラーシャフト（１００）は、直径の最小化ができ、前記ローラーシャフト（１００）のたるみを防止するための既存のローラーシャフト（１００）の直径を増やしたり、前記ローラーシャフト（１００）の内部に強度を高めるための充填物を挿入する必要がなくなり、製造費用が節減できる。 
【００２０】
尚、前記ディスク型マグネチック（１６０）の一方には、固定ナット（１７０）を形成し、前記同じ極性に向かわせた２つのマグネチックによって発生する反発力を維持するように前記ローラーシャフト（１００）に固定する。前記固定ナット（１７０）と、前記固定ナット（１７０）の他方に形成されたマグネチックは、固定ナット（１７０）により、前記ローラーシャフト（１００）に固定され、前記ローラーシャフト（１００）と一体となって回転することになり。前記ベアリング・ホルダー部（１５０）の一方に形成したマグネチックは、前記ベアリング・ホルダー部（１５０）に固定され、前記ローラーシャフト（１００）が回転し、マグネチックとマグネチックの間に空間が作られて、無負荷回転トルクにより、パーティクルの発生を防止できる。 
【００２１】
図４は、本発明による平板ディスプレイ用移送ローラーのたるみ防止装置の実施例を表わせた図面である。 
【００２２】
前記図４に図示されたとおり、前記ローラーシャフト（１００）の両側にディ  スク型マグネチック（１６０）の代わりにスラスト・ボール・ベアリング（１８０）を形成し、ボールが転がる溝のあるワッシャー形状の軌道輪とボールを内臓下リテーナに構成し、前記ローラーシャフト（１００）の方向に荷重がかかるようにし、前記ベアリング・ホルダー部（１５０）と、スラスト・ボール・ベアリング（１８０）の間にベアリング・カラー部(１8１)を形成し、前記スラスト・ボール・ベアリング（１８０）がローラーシャフト（１００）の方向に荷重がかかるように支える。
【００２３】
尚、前記ローラーシャフト（１００）の一方に形成されたスラスト・ボール・ベアリング（１８０）の一方には、弾性力を維持した状態のスプリング（１９０）を形成し、前記ガラス荷重と、前記ローラーシャフト（１００）の自重により、ローラーシャフト（１００）がたるむ場合、前記スプリング（１９０）の弾性力で、前記ローラーシャフト（１００）を引っ張り上げ、前記ローラーシャフト（１００）のたるみを防止するようにし、前記スプリング（１９０）の一方には、弾性力を維持した状態のスプリング（１９０）が 前記単勢力を維持できるように支えてくれるスプリング・カラー部（１９１）を形成し、前記スプリング・カラー部（１９１）の一方に前記スプリング（１９０）を弾性力が維持された状態に固定するために、前記ローラーシャフト（１００）と固定する固定ナット（１７０）を形成する。
【００２４】
前記のような構成で形成された本発明は、大型化するガラスの荷重と前記ローラーシャフト（１００）の自重で、前記ローラーシャフト（１００）がたるむ場合、ディスク型マグネチック（１６０）の反発力を通じて前記ローラーシャフト（１００）のたるみを防止でき、これにより製造費用が節減でき、前記ディスク型マグネチック（１６０）の無負荷回転トルクによるパーティクルの発生を防止できるようにしてくれる。 
【００２５】
上述したとおり、本発明による望ましい実施例を説明してきたが、本発明は前記の実施例にとどまらず、以下の特許請求範囲で請求する本発明の要旨を外すことなく、当該発明が属する分野で通常の知識を持つ者なら誰でも多様な変更実施が可能な範囲まで本発明の技術的精神があるといえる。
【発明の効果】
【００２６】
以上で説明したように、本発明は、平板ディスプレイ製造工程の中で平板ディスプレイ用ガラスを移送する移送ローラーのローラーシャフトの両側にディスク型マグネチックを形成し、前記ガラスによる下部ローラーシャフトにかかる荷重や前記ローラーシャフトの自重により、ローラーシャフトがたるむ場合、前記ディスク型マグネチックの２つのマグネチックを同じ極性に向かわせて形成し、前記マグネチックの反発力を利用し、前記ローラーシャフトがたるむのを引っ張り上げ、前記ローラーシャフトがたるむのを防止できる効果があり、これによって、前記ローラーシャフトの直径を増加させたり、前記ローラーシャフトの内部に強度を高めるために充填物を挿入する必要がなく、前記ローラーシャフトの直径を縮小できることで製造費用を節減できる効果があり、ディスク型マグネチックの使用で無負荷回転トルクによるパーティクルの発生を防止する効果がある。
【００２７】
尚、前記ディスク型マグネチックの代わりにスラスト・ボール・ベアリングを使用し、前記スラスト・ボール・ベアリングのローラーシャフトに生ずる荷重を受け、前記ローラーシャフトがたるむのを防止できる効果がある。
【図面の簡単な説明】
【００２８】
【図１】本発明による平板ディスプレイ用ガラス移送ローラーのたるみ防止装置の全体図面。
【図２】本発明による平板ディスプレイ用ガラス移送ローラーのたるみ防止装置のベアリング・ホルダー・ブラケット部の正面図・側面図。
【図３】本発明による平板ディスプレイ用ガラス移送ローラーのたるみ防止装置のベアリング・ホルダー部の正面図・側面図。
【図４】本発明による平板ディスプレイ用ガラス移送ローラーのたるみ防止装置の実施例を表わせた図面。
【符号の説明】
【００２９】
１００:ローラーシャフト
１１０：ローラー
１２０:水平プレート
１３０：垂直プレート
１４０:ベアリング・ホルダー・ブラケット部
１５０：ベアリング・ホルダー部
１５１ :深いホール・ボール・ベアリング
１６０：ディスク型マグネチック
１７０ :固定ナット
１８０：スラスト・ボール・ベアリング
１８１ :ベアリング・カラー部
１９０：スプリング
１９１ : スプリング・カラー部
【図１】
2008087959.tif 000003
【図２】
2008087959.tif 000004
【図３】
2008087959.tif 000005
【図４】
2008087959.tif 000006